(57)【要約】【課題】  煙草パッケージのデザイン変更に伴って、煙草自販機の煙草パッケージ見本具を変更する際に、煙草自動販売機から大量の見本具の廃棄品が排出しないように、自販機内の見本具は取り外さなて済み、見本具に新しいデザインの見本シートを付け替えるだけで見本具の変更が完了する煙草パッケージ見本具を提供する。【解決手段】  販売される煙草パッケージの表面形状と同じ大きさの支持板１と、この支持板の前面に取付けられる煙草ッケージの表面デザインを印刷した見本シート２とからなり、支持板は、表面の周辺部に前記見本シートを嵌め込むことのできる案内溝３を有していて、見本シート２を前記案内溝３に沿って嵌め込むことにより、支持板１の表面に差し換え可能に取り付ける。【選択図】  図２
2005346363.tif 000002
【特許請求の範囲】
【請求項１】
煙草自動販売機の展示窓に設けられる煙草パッケージ見本具であって、販売される煙草パッケージの表面形状と同じ大きさの支持板と、この支持板の前面に取付けられる煙草パッケージの表面デザインを印刷した見本シートとからなり、支持板は、表面の周辺部に前記見本シートを嵌め込むことのできる案内溝を有していて、見本シートを前記案内溝に沿って嵌め込むことにより、支持板の表面に差し替え可能に配置したことを特徴とする煙草自販機の煙草パッケージ見本具。
【請求項２】
支持板が煙草パッケージの形状と同じ大きで、表面周辺部に見本シートを嵌め込むことのできる案内溝を有している表側支持板と、この表側支持板の背面隅部に煙草パッケージの厚さに対応する長さの支持棒を介して間隔を置いて配置された、煙草パッケージの形状と同じ大きの裏側支持板とから構成されている請求項１の煙草自販機の煙草パッケージ見本具。
【請求項３】
支持板が煙草パッケージの形状と同じ大きで、表面周辺部に見本シートを嵌め込むことのできる案内溝を有している表側支持板と、この表側支持板の下辺に突設された底片とからなり、前記底片を水平に配置することで、該底片を介して前記表面支持板が上端を後方へ傾斜するような角度で縦形に支持される請求項１の煙草自販機の煙草パッケージ見本具。
【発明の詳細な説明】
【技術分野】
【０００１】
本発明は、煙草自動販売機の展示窓に設けられる煙草パッケージ見本具の改良に関するものである。
【背景技術】
【０００２】
従来における煙草自動販売機の展示窓に配列される煙草パッケージ見本としては、販売される実際の煙草パッケージと同様な大きさ形状に成形されたプラスチック製ケースの表面に、実際の煙草パッケージの表面デザインと同じデザインを印刷した見本紙を貼り付けて形成したものが広く知られている。
【発明の開示】
【発明が解決しようとする課題】
【０００３】
しかし、このような従来形の煙草パッケージ見本具では、今までには販売されていなかった新しいデザインの煙草パッケージによる煙草が発売されるようになったり、今まで販売されていた煙草パッケージのデザインが新しいデザインに変更されたような場合には、国内で稼働している全ての煙草自販機に設けられている煙草パッケージ見本具を取り外して、新しいデザインの煙草パッケージ見本具を付け替えなければならないという問題が生ずる。
【０００４】
ところで、このように、従来の煙草自販機から古い煙草パッケージ見本具を取り外してこれを廃棄処分しようとすると、国内に存在する自販機から同時に大量の廃棄品が排出されることになるため、これを処分するために多大な費用が必要となり、もた、新デザインによる煙草パッケージ見本具を製造して国内の全ての自販機に付け替えなければならないため、そのための費用も莫大になるという問題がある。
【課題を解決するための手段】
【０００５】
本発明は、従来における煙草自販機における煙草パッケージ見本具の課題とされるところの、煙草パッケージのデザインが変更された場合に、煙草自動販売機から大量の見本具の廃棄品が排出するという問題点、また、新しい見本具に交換することにより多くの費用を必要とするという問題点を、煙草パッケージのデザインが変更された場合でも、自販機内の見本具は取り外さなて済み、見本具に新しいデザインの見本シートを付け替えるだけで見本具の変更が完了するような煙草パッケージ見本具の提供を目的とするものである。
【０００６】
請求項１の発明は、そのための具体的手段として、煙草自動販売機の展示窓に設けられる煙草パッケージ見本具であって、販売される煙草パッケージの表面形状と同じ大きさの支持板と、この支持板の前面に取付けられる煙草ッケージの表面デザインを印刷した見本シートとからなり、支持板は、表面の周辺部に前記見本シートを嵌め込むことのできる案内溝を有していて、見本シートを前記案内溝に沿って嵌め込むことにより、支持板の表面に差し替え可能に配置したことを特徴とする。
【０００７】
見本シートを差し替えるための支持板としては、煙草パッケージの形状と同じ大きで、表面周辺部に見本シートを嵌め込むことのできる案内溝を有している表側支持板と、この表側支持板の背面隅部に煙草パッケージの厚さに対応する長さの支持棒を介して間隔を置いて配置された、煙草パッケージの形状と同じ大きの裏側支持板とから構成されていることが好ましい。
【０００８】
さらに、支持板の別の態様としては、支持板が煙草パッケージの形状と同じ大きで、表面周辺部に見本シートを嵌め込むことのできる案内溝を有している表側支持板と、この表側支持板の下辺に突設された底片とからなり、前記底片を水平に配置することで、該底片を介して前記表面支持板が上端を後方へ傾斜するような角度で縦形に支持されるように構成されていることが好ましい。
【発明の効果】
【０００９】
本発明に係る煙草自販機では、煙草パッケージの見本具を煙草パッケージの表面形状と同じ大きさの支持板と、この支持板の前面に取付けられる煙草パッケージの表面デザインを印刷した見本シートとにより構成し、支持板は表面の周辺部に前記見本シートを嵌め込むことのできる案内溝を有しているので、支持板は自販機の表示窓に固定したままとしておき、煙草ッケージの表面デザインが変更になった時には、新しいデザインの印刷された見本シートを、支持板の表面に差し替えるだけで新しい見本具の変更を完了することができる。
【００１０】
勿論、この方式によれば、取り付けられた見本シートは裏側に支持板が裏打ちされるように補強配置されているので、自販機の扉が開閉するときの衝撃や風圧にも影響を受けることなく安定良く支持することができる。また、支持板は煙草パッケージのデザイン変更があったとしても自販機の表示窓から取り外すことなく、固定したままで済むので、デザインの変更ごとに支持板を作り換えたり、付け取り換えることによる時間と費用を節減でき、さらに、古い支持板を廃棄物として大量に排出することによる問題を解消できると共に、新たに用意するのは新しいデザインの見本シートだけで済むので、デザインの変更に伴う問題を経済的に処理できるという効果を有する。
【発明を実施するための最良の形態】
【００１１】
本発明を実施するに際しては、自販機は商品としての煙草パッケージを補充するために扉を開閉するので、その都度衝撃や風圧を受けて支持板の固定状態が影響を受けないようにするため、支持板は煙草パッケージの形状と同じ大きで、表面周辺部に見本シートを嵌め込むことのできる案内溝を設けた表側支持板と、この表側支持板の背面隅部に支持棒を介して間隔が設けられるように配置した裏側支持板との、表裏２枚の支持板によって強度のあるフレーム構造が形成されるようにすることが好ましい。
【実施例】
【００１２】
次に、本発明に係る煙草パッケージ見本具の構成を図面に示す実施例により説明すると、図１に示すように、この見本具は、販売される煙草パッケージ（図示せず）の表面形状と同じ大きさからなる合成樹脂製の支持板１と、この支持板１の前面に取付けられる煙草パッケージの表面デザインを印刷した紙もしくはフィルムからなる見本シート２とからなり、支持板１は、表面の周辺部に前記見本シート２を嵌め込むことのできる案内溝３を有していて、見本シート２を前記案内溝３に沿って嵌め込むことにより、支持板１の表面に差し換え可能に配置されるようになっている。
【００１３】
支持板１の周辺部に設けられる案内溝３は、支持板１の左右両側辺と、下辺とに設けられていて、これらの案内溝３の内側へ嵌り込む大きさをもった前記見本シート２の両側辺が、案内溝３の設けられていない上辺方向から左右両側辺の案内溝３内を通して、下辺の案内溝３内へ落とし込まれるように取り付けられており、見本シート２のデザインが変更になった時には、見本シート２を上方へ引き上げれば支持板１から取り外せるようになっている。
【００１４】
見本シート２を差し替えるための支持板１としては、商品の補充のために、自販機の扉を開閉した時に、支持板が衝撃を受けないようにするため、支持板１の表示窓などへの固定状態を確実にするべく、支持板１の構成を強固にすることが好ましい。そのため、支持板１は、表面の周辺部に見本シート２を嵌め込むことのできる前記案内溝３を有している表側支持板１ａと、この表側支持板１ａの背面隅部に煙草パッケージの厚さに対応する長さの支持棒４を突設して、これらの支持棒４の先端に表側支持板１ａと同じ大きさの裏側支持板１ｂを接続することで、表裏２枚の支持板１ａ，１ｂによりフレームが形成されるような構造とすることが好ましい。
【００１５】
一方、支持板１の別の態様としては、図４に示すように、表面の周辺部に見本シート２を嵌め込むことのできる案内溝３を有している表側支持板１ａと、この表側支持板１ａの下辺に突設された底片５とからなり、前記底片５を表示窓などへ水平に配置することで、該底片５を介して前記表面支持板１ａが上端を後方へ傾斜するような角度で縦形に支持されるように構造としてもよい。
【産業上の利用可能性】
【００１６】
この発明の煙草パッケージ見本具によれば、煙草ッケージの表面デザインが変更になった時に、新しいデザインの印刷された見本シートを、支持板の表面に差し換えるだけで新しい見本具の変更を完了でき、支持板を作り替えたり、付け替えたりすることによる時間と費用を節減でき、古い支持板を廃棄物として大量に排出することによる環境問題も解消できるので、産業上きわめて高い実利性を有する。
【図面の簡単な説明】
【００１７】
【図１】本発明に係る煙草パッケージ見本具の１実施例を示す斜視図。
【図２】図１の煙草パッケージ見本具に見本シートを取付けた状態の斜視図。
【図３】図１のＡ−Ａ線における断面図。
【図４】煙草パッケージ見本具の別の実施例を示す斜視図。
【符号の説明】
【００１８】
１：支持板、
２：見本シート、
３：案内溝、
４：支持棒、
６：底片
【図１】
2005346363.tif 000003
【図２】
2005346363.tif 000004
【図３】
2005346363.tif 000005
【図４】
2005346363.tif 000006